Podtech/llm-jp-corpus-v4-ja_patent huggingface dataset:
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
周囲に複数の図柄を表示した複数個の回転リールと、
各回転リールの回転を開始させるためのスタートスイッチと、
対応する回転リールの回転を停止させるためのストップスイッチと、
遊技に関する制御を行うための制御装置と、を少なくとも備え、
制御装置は、
前記スタートスイッチの操作が行われたことを契機として、各回転リールの回転の開始に関する制御を行うための回転開始制御手段と、
回転中のいずれかの回転リール（以下、「制御対象リール」とする。）に対応するストップスイッチの操作が行われたことを契機として、前記ストップスイッチの操作が行われた時点における前記制御対象リールの回転位置に基づいて、前記制御対象リールの図柄を表示可能に停止制御を行う回転停止制御手段と、を備えており、
前記回転停止制御手段によって総ての回転リールの図柄が表示可能に停止されたときの各回転リールの相対的な位置関係を第１の相対関係とするとき、
前記回転開始制御手段は、
所定の条件が満たされたことを契機として、総ての回転リールを同じ所定の速度で回転させるために各回転リールに対して行う加速処理を、少なくとも１つの特定の回転リールについて他の回転リールとは変えることにより、総ての回転リールが前記同じ所定の速度で回転している状態になるまでに、各回転リールの相対的な位置関係を、前記第１の相対関係とは異ならせ得るように制御し、
前記回転停止制御手段は、
総ての回転リールが前記同じ所定の速度で回転していることを条件に、前記ストップスイッチの操作を受け付け可能とすることを特徴とする遊技機。
【請求項２】
前記特定の回転リールに対しては、特定の加速度データに基づく加速処理が行われ、前記他の回転リールに対しては、前記特定の加速度データとは異なる他の加速度データに基づく加速処理が行われることを特徴とする請求項１に記載の遊技機。
【手続補正２】
【補正対象書類名】明細書
【補正対象項目名】０００８
【補正方法】変更
【補正の内容】
【０００８】
請求項に記載された発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
（請求項１）
請求項１記載の発明は、周囲に複数の図柄51を表示した複数個の回転リール25と、各回転リール25の回転を開始させるためのスタートスイッチ37と、対応する回転リール25の回転を停止させるためのストップスイッチ38と、遊技に関する制御を行うための制御装置100と、を少なくとも備え、制御装置100は、スタートスイッチ37の操作が行われたことを契機として、回転リール25の回転の開始に関する制御を行うための回転開始制御手段160と、回転中のいずれかの回転リール25（以下、「制御対象リール」とする。）に対応するストップスイッチ38の操作が行われたことを契機として、前記ストップスイッチ38の操作が行われた時点における前記制御対象リールの回転位置に基づいて、前記制御対象リールの図柄を表示可能に停止制御を行う回転停止制御手段180と、を備えており、回転停止制御手段180によって総ての回転リール25の図柄が表示可能に停止されたときの各回転リール25の相対的な位置関係を第１の相対関係とするとき、回転開始制御手段160は、所定の条件が満たされたことを契機として、総ての回転リール25を同じ所定の速度で回転させるために各回転リール25に対して行う加速処理を、少なくとも１つの特定の回転リール25について他の回転リール25とは変えることにより、総ての回転リール25が前記同じ所定の速度で回転している状態になるまでに、各回転リール25の相対的な位置関係を、前記第１の相対関係とは異ならせ得るように制御し、回転停止制御手段180は、総ての回転リール25が前記同じ所定の速度で回転していることを条件に、ストップスイッチ38の操作を受け付け可能とすることを特徴とする。
【手続補正３】
【補正対象書類名】明細書
【補正対象項目名】００１３
【補正方法】変更
【補正の内容】
【００１３】
本発明に係る回転停止制御手段180は、回転中のいずれかの回転リール25（制御対象リール）に対応するストップスイッチ38の操作が行われたことを契機として、前記ストップスイッチ38の操作が行われた時点における前記制御対象リールの回転位置に基づいて、前記制御対象リールの停止制御を行うものである。なお、本発明に係る回転停止制御手段180は、操作されたストップスイッチ38に対応する回転リール25の回転位置のみならず、前記ストップスイッチ38が操作された時点で回転中の他の回転リール25の回転位置をも参照して決定された所定位置に、回転リール25を停止させるものとすることができる。なおここで、制御対象リールとは、操作されたストップスイッチ38に対応する回転リール25を意味するものである。
【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
遊技球を遊技盤の遊技領域に発射させる発射装置を備え、前記遊技盤には、発射の強弱により遊技球の打ち分けができる複数の遊技領域が形成され、各遊技領域は、遊技球を発射させる適切な遊技領域として遊技状態に対応付けられており、所定の条件のもとで遊技球を発射させるのに適切な遊技領域を報知手段で報知する遊技機において、
前記遊技領域に発射された遊技球を検知する検知手段と、
前記検知手段の検知結果に基づき前記報知手段を制御する報知制御手段と、を備え、
前記報知制御手段は、その時の遊技状態に対して適切でない遊技領域における前記検知手段が遊技球を検知する場合に、報知準備期間を設定するとともに、前記報知準備期間中に該報知準備期間を設定する契機となった検知手段が再び遊技球を検知する場合に、その時の遊技状態に対して適切な遊技領域を報知する報知演出を行うように制御することを特徴とする遊技機。
【請求項２】
前記報知制御手段は、前記報知演出を予め定めた報知時間が経過するまでの間、行うように制御するとともに、前記報知時間の間に、該報知演出を行わせる契機となった検知手段が遊技球を再検知する場合に、前記報知時間の設定からの前半の前記再検知であれば無効とする一方、前記報知時間の設定からの後半の前記再検知であれば該再検知しなかった場合に比して前記報知演出を延長して行うように制御する請求項１に記載の遊技機。
【請求項３】
前記報知制御手段は、前記報知演出が行われている間に、該報知演出を行わせる契機となった検知手段が遊技球を再検知する場合に、該再検知しなかった場合に比して前記報知演出を延長して行うように制御する請求項１又は請求項２に記載の遊技機。
【請求項４】
前記報知制御手段は、前記報知準備期間を設定する場合、該設定から予め定めた時間の経過を契機に該報知準備期間の設定を解除する請求項１〜請求項３のうちいずれか一項に記載の遊技機。
【手続補正２】
【補正対象書類名】明細書
【補正対象項目名】０００７
【補正方法】変更
【補正の内容】
【０００７】
上記目的を達成するために、請求項１に記載の発明は、遊技球を遊技盤の遊技領域に発射させる発射装置を備え、前記遊技盤には、発射の強弱により遊技球の打ち分けができる複数の遊技領域が形成され、各遊技領域は、遊技球を発射させる適切な遊技領域として遊技状態に対応付けられており、所定の条件のもとで遊技球を発射させるのに適切な遊技領域を報知手段で報知する遊技機において、前記遊技領域に発射された遊技球を検知する検知手段と、前記検知手段の検知結果に基づき前記報知手段を制御する報知制御手段と、を備え、前記報知制御手段は、その時の遊技状態に対して適切でない遊技領域における前記検知手段が遊技球を検知する場合に、報知準備期間を設定するとともに、前記報知準備期間中に該報知準備期間を設定する契機となった検知手段が再び遊技球を検知する場合に、その時の遊技状態に対して適切な遊技領域を報知する報知演出を行うように制御することを要旨とする。
【手続補正３】
【補正対象書類名】明細書
【補正対象項目名】０００８
【補正方法】変更
【補正の内容】
【０００８】
請求項２に記載の発明は、請求項１に記載の遊技機において、前記報知制御手段は、前記報知演出を予め定めた報知時間が経過するまでの間、行うように制御するとともに、前記報知時間の間に、該報知演出を行わせる契機となった検知手段が遊技球を再検知する場合に、前記報知時間の設定からの前半の前記再検知であれば無効とする一方、前記報知時間の設定からの後半の前記再検知であれば該再検知しなかった場合に比して前記報知演出を延長して行うように制御することを要旨とする。
【手続補正４】
【補正対象書類名】明細書
【補正対象項目名】０００９
【補正方法】変更
【補正の内容】
【０００９】
請求項３に記載の発明は、請求項１又は請求項２に記載の遊技機において、前記報知制御手段は、前記報知演出が行われている間に、該報知演出を行わせる契機となった検知手段が遊技球を再検知する場合に、該再検知しなかった場合に比して前記報知演出を延長して行うように制御することを要旨とする。
【手続補正５】
【補正対象書類名】明細書
【補正対象項目名】００１０
【補正方法】変更
【補正の内容】
【００１０】
請求項４に記載の発明は、請求項１〜請求項３のうちいずれか一項に記載の遊技機において、前記報知制御手段は、前記報知準備期間を設定する場合、該設定から予め定めた時間の経過を契機に該報知準備期間の設定を解除することを要旨とする。
【手続補正書】
【提出日】平成25年9月30日(2013.9.30)
【手続補正１】
【補正対象書類名】特許請求の範囲
【補正対象項目名】全文
【補正方法】変更
【補正の内容】
【特許請求の範囲】
【請求項１】
図柄変動ゲームの始動条件を付与する始動口へ入球した遊技球を始動保留球として記憶する記憶手段と、前記始動口への入球時に、当該入球に基づく図柄変動ゲームの演出内容を判定する事前判定手段と、前記事前判定手段の判定結果に基づいて判定対象とした図柄変動ゲームが特定の演出内容である可能性を、通常の演出内容から結果の演出内容に変化させることで当該判定対象とした図柄変動ゲームの実行に先立って事前に示唆する事前演出を行わせる事前演出実行手段を備えた遊技機において、
前記事前演出を実行させる場合に当該事前演出で前記結果の演出内容に変化させるタイミングを選択する実行タイミング選択手段を備え、
前記事前演出実行手段は、前記事前判定の判定対象とした図柄変動ゲームに先立って実行される図柄変動ゲームから前記事前判定の判定対象とした図柄変動ゲームに亘って前記事前演出を行わせるとともに、前記実行タイミング選択手段が選択するタイミングで前記結果の演出内容に変化させ、
前記実行タイミング選択手段は、前記始動口への入球からの時間を選択し、
前記実行タイミング選択手段が選択可能な時間は、当該実行タイミング選択手段が前記時間を選択する時点における始動保留の記憶数に応じて振分けが異なっていることを特徴とする遊技機。
【請求項２】
前記実行タイミング選択手段が選択可能な時間は、前記図柄変動ゲームの演出内容に応じて振分けが異なっている請求項１に記載の遊技機。
【請求項３】
前記図柄変動ゲームの演出内容を特定可能な複数の変動パターンを有し、
前記複数の変動パターンには、第１の変動パターンと、前記第１の変動パターンに比して変動時間が長く、かつ大当り信頼度が高い第２の変動パターンと、を含み、
前記実行タイミング選択手段が選択可能な時間は、前記第１の変動パターンよりも前記第２の変動パターンの場合に長い時間が選択されやすい請求項２に記載の遊技機。
【請求項４】
前記事前演出は、前記始動口への入球に伴って前記通常の演出内容から変化した後、該変化されてからさらに演出内容が変化されることで前記結果の演出内容に変化し得るようにして行われ、
前記実行タイミング選択手段は、前記始動口への入球に伴って前記通常の演出内容から変化されてからさらに前記結果の演出内容に変化させるまでの時間を選択する請求項１〜請求項３のうち何れか一項に記載の遊技機。
【手続補正２】
【補正対象書類名】明細書
【補正対象項目名】０００７
【補正方法】変更
【補正の内容】
【０００７】
上記目的を達成するために、請求項１に記載の発明は、図柄変動ゲームの始動条件を付与する始動口へ入球した遊技球を始動保留球として記憶する記憶手段と、前記始動口への入球時に、当該入球に基づく図柄変動ゲームの演出内容を判定する事前判定手段と、前記事前判定手段の判定結果に基づいて判定対象とした図柄変動ゲームが特定の演出内容である可能性を、通常の演出内容から結果の演出内容に変化させることで当該判定対象とした図柄変動ゲームの実行に先立って事前に示唆する事前演出を行わせる事前演出実行手段を備えた遊技機において、前記事前演出を実行させる場合に当該事前演出で前記結果の演出内容に変化させるタイミングを選択する実行タイミング選択手段を備え、前記事前演出実行手段は、前記事前判定の判定対象とした図柄変動ゲームに先立って実行される図柄変動ゲームから前記事前判定の判定対象とした図柄変動ゲームに亘って前記事前演出を行わせるとともに、前記実行タイミング選択手段が選択するタイミングで前記結果の演出内容に変化させ、前記実行タイミング選択手段は、前記始動口への入球からの時間を選択し、前記実行タイミング選択手段が選択可能な時間は、当該実行タイミング選択手段が前記時間を選択する時点における始動保留の記憶数に応じて振分けが異なっていることを要旨とする。
【手続補正３】
【補正対象書類名】明細書
【補正対象項目名】０００８
【補正方法】変更
【補正の内容】
【０００８】
請求項２に記載の発明は、請求項１に記載の遊技機において、前記実行タイミング選択手段が選択可能な時間は、前記図柄変動ゲームの演出内容に応じて振分けが異なっていることを要旨とする。
請求項３に記載の発明は、請求項２に記載の遊技機において、前記図柄変動ゲームの演出内容を特定可能な複数の変動パターンを有し、前記複数の変動パターンには、第１の変動パターンと、前記第１の変動パターンに比して変動時間が長く、かつ大当り信頼度が高い第２の変動パターンと、を含み、前記実行タイミング選択手段が選択可能な時間は、前記第１の変動パターンよりも前記第２の変動パターンの場合に長い時間が選択されやすいことを要旨とする。
請求項４に記載の発明は、請求項１〜請求項３のうち何れか一項に記載の遊技機において、前記事前演出は、前記始動口への入球に伴って前記通常の演出内容から変化した後、該変化されてからさらに演出内容が変化されることで前記結果の演出内容に変化し得るようにして行われ、前記実行タイミング選択手段は、前記始動口への入球に伴って前記通常の演出内容から変化されてからさらに前記結果の演出内容に変化させるまでの時間を選択することを要旨とする。
【手続補正４】
【補正対象書類名】明細書
【補正対象項目名】０００９
【補正方法】削除
【補正の内容】
【手続補正５】
【補正対象書類名】明細書
【補正対象項目名】０１６２
【補正方法】変更
【補正の内容】
【０１６２】
次に、上記実施形態及び別例（変形例）から把握できる技術的思想について以下に追記する。
（イ）前記事前演出における前記始動口への入球に伴って前記通常の演出内容から変化する演出内容は、それ以後にさらに演出内容が変化し得る変化可能内容と、それ以後にさらに演出内容が変化し得ない変化不可能内容とを含んで構成された。
【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
遊技中に遊技者が操作可能な演出用操作手段を備え、前記遊技中の演出として、前記演出用操作手段の操作結果を演出内容に反映させる操作用演出を行わせる遊技機において、
前記演出用操作手段を遊技者に操作させる操作期間を設定するとともに、前記操作期間中に前記演出用操作手段の操作結果を演出内容に反映させて前記操作用演出を行わせるように制御する演出制御手段を備え、
前記操作用演出では、複数段階に亘って変化する演出内容を有するとともに、該操作用演出を通して変化する演出内容の段階から今後の有利度合いを示唆し、
前記演出制御手段は、
前記操作用演出を行わせるに際し、今後の有利度合いに応じて前記操作用演出を通して変化を許容する最終の演出内容を前記複数段階の中から決定し、
前記操作用演出の前記操作期間中、前記演出用操作手段が操作されると、操作毎に操作時抽選を行うとともに、前記操作時抽選で当選とする場合に演出内容の段階を前記最終の演出内容に近づくように変化させることができ、
前記複数段階の演出内容には、前記操作時抽選での当選が所定の複数回に達する場合に、該所定の複数回に相当する段階分、前記最終の演出内容に近づくように変化させる特定の演出内容を含むことを特徴とする遊技機。
【請求項２】
前記複数段階の演出内容には、各段階を構成する演出内容に前記特定の演出内容を有して構成される系統と、各段階を構成する演出内容に前記特定の演出内容を有さないで構成される系統とを含み、
前記演出制御手段は、前記操作用演出を行わせるに際し、前記系統とともに前記最終の演出内容を決定するとともに、今後の有利度合いの高低に関して有利度合いが高い場合と低い場合とで何れの系統を決定するかの確率が異なる請求項１に記載の遊技機。
【請求項３】
前記系統と前記最終の演出内容と段階毎の前記操作時抽選で当選とする当選確率をそれぞれに定めた複数の操作用演出パターンを記憶するパターン記憶手段を備え、
前記演出制御手段は、前記操作用演出を行わせるに際し、前記操作用演出パターンを決定するとともに、決定した操作用演出パターンに基づいて前記操作用演出を行わせるように制御する請求項２に記載の遊技機。
【手続補正２】
【補正対象書類名】明細書
【補正対象項目名】０００７
【補正方法】変更
【補正の内容】
【０００７】
上記目的を達成するために、請求項１に記載の発明は、遊技中に遊技者が操作可能な演出用操作手段を備え、前記遊技中の演出として、前記演出用操作手段の操作結果を演出内容に反映させる操作用演出を行わせる遊技機において、前記演出用操作手段を遊技者に操作させる操作期間を設定するとともに、前記操作期間中に前記演出用操作手段の操作結果を演出内容に反映させて前記操作用演出を行わせるように制御する演出制御手段を備え、前記操作用演出では、複数段階に亘って変化する演出内容を有するとともに、該操作用演出を通して変化する演出内容の段階から今後の有利度合いを示唆し、前記演出制御手段は、前記操作用演出を行わせるに際し、今後の有利度合いに応じて前記操作用演出を通して変化を許容する最終の演出内容を前記複数段階の中から決定し、前記操作用演出の前記操作期間中、前記演出用操作手段が操作されると、操作毎に操作時抽選を行うとともに、前記操作時抽選で当選とする場合に演出内容の段階を前記最終の演出内容に近づくように変化させることができ、前記複数段階の演出内容には、前記操作時抽選での当選が所定の複数回に達する場合に、該所定の複数回に相当する段階分、前記最終の演出内容に近づくように変化させる特定の演出内容を含むことを要旨とする。
【手続補正３】
【補正対象書類名】明細書
【補正対象項目名】０００８
【補正方法】変更
【補正の内容】
【０００８】
請求項２に記載の発明は、請求項１に記載の遊技機において、前記複数段階の演出内容には、各段階を構成する演出内容に前記特定の演出内容を有して構成される系統と、各段階を構成する演出内容に前記特定の演出内容を有さないで構成される系統とを含み、前記演出制御手段は、前記操作用演出を行わせるに際し、前記系統とともに前記最終の演出内容を決定するとともに、今後の有利度合いの高低に関して有利度合いが高い場合と低い場合とで何れの系統を決定するかの確率が異なることを要旨とする。
【手続補正４】
【補正対象書類名】明細書
【補正対象項目名】０００９
【補正方法】変更
【補正の内容】
【０００９】
請求項３に記載の発明は、請求項２に記載の遊技機において、前記系統と前記最終の演出内容と段階毎の前記操作時抽選で当選とする当選確率をそれぞれに定めた複数の操作用演出パターンを記憶するパターン記憶手段を備え、前記演出制御手段は、前記操作用演出を行わせるに際し、前記操作用演出パターンを決定するとともに、決定した操作用演出パターンに基づいて前記操作用演出を行わせるように制御することを要旨とする。
【手続補正５】
【補正対象書類名】明細書
【補正対象項目名】０１６６
【補正方法】変更
【補正の内容】
【０１６６】
次に、上記実施形態及び別例から把握できる技術的思想を以下に追記する。
（イ）前記複数段階の演出内容には、各段階を構成する演出内容に前記特定の演出内容を有して構成される系統と、各段階を構成する演出内容に前記特定の演出内容を有さないで構成される系統とを含み、前記演出制御手段は、前記操作用演出を行わせるに際し、前記系統とともに前記最終の演出内容を決定するとともに、今後の有利度合いの高低に関して有利度合いが高い場合に有利度合いが低い場合よりも前記特定の演出内容を有して構成される系統を決定し易い。
【手続補正６】
【補正対象書類名】明細書
【補正対象項目名】０１６７
【補正方法】変更
【補正の内容】
【０１６７】
（ロ）前記系統と前記最終の演出内容と段階毎の前記操作時抽選で当選とする当選確率をそれぞれに定めた複数の操作用演出パターンを記憶するパターン記憶手段を備え、前記演出制御手段は、前記操作用演出を行わせるに際し、前記操作用演出パターンを決定するとともに、決定した操作用演出パターンに基づいて前記操作用演出を行わせるように制御する。
【手続補正書】
【提出日】平成25年7月18日(2013.7.18)
【手続補正１】
【補正対象書類名】特許請求の範囲
【補正対象項目名】請求項１
【補正方法】変更
【補正の内容】
【請求項１】
図柄を変動させて行う図柄変動ゲームをゲーム表示手段に表示し、この図柄変動ゲームにおいて当り表示結果が導出されたのちに当り遊技を付与するとともに、保留中の図柄変動ゲームに各別に対応させて表示される保留情報の表示態様を複数段階にわたって変化させ、前記保留情報の表示態様が最終段階に近いほど当り期待度が高くなる保留変化演出を実行する遊技機において、
入球口へ入球した遊技球を検知する入球検知手段と、
前記入球検知手段が前記入球口のうち特定入球口へ入球した遊技球を検知したことを契機に乱数値を取得し、その取得した乱数値を順次、所定の記憶手段に記憶させる乱数取得手段と、
前記図柄変動ゲームの実行条件の成立を契機として、前記記憶手段に記憶されている乱数値と演出判定値とが一致するか否かにより前記ゲーム表示手段に表示させる図柄変動ゲームの変動内容を判定する変動内容判定手段と、
前記乱数取得手段が前記乱数値を取得したことを契機として、その取得された乱数値が前記演出判定値と一致する値であるか否かを事前に判定する事前判定手段と、
保留情報表示手段を制御し、前記記憶手段に記憶されている乱数値に対応させて前記保留情報を表示させるとともに、前記事前判定手段の判定結果に基づき前記保留変化演出を実行させる保留表示制御手段と、を備え、
前記保留表示制御手段は、前記事前判定手段の判定結果に基づき前記保留変化演出を開始させた場合、前記入球検知手段により遊技球が検知されたことを契機として前記保留情報の表示態様を変化させる制御を可能に構成されているとともに、前記保留変化演出を開始させる場合であって、その時点において前記記憶手段に記憶されている乱数値の個数が第１個数のときには、前記保留情報を第１段階の表示態様として前記保留変化演出を開始させる一方で、前記記憶手段に記憶されている乱数値の個数が第１個数より少ない第２個数のときには、前記保留情報を前記第１段階よりも前記最終段階に近い第２段階の表示態様として前記保留変化演出を開始させ易く構成されていることを特徴とする遊技機。
【手続補正２】
【補正対象書類名】明細書
【補正対象項目名】０００７
【補正方法】変更
【補正の内容】
【０００７】
上記課題を解決するために、請求項１に記載の発明は、図柄を変動させて行う図柄変動ゲームをゲーム表示手段に表示し、この図柄変動ゲームにおいて当り表示結果が導出されたのちに当り遊技を付与するとともに、保留中の図柄変動ゲームに各別に対応させて表示される保留情報の表示態様を複数段階にわたって変化させ、前記保留情報の表示態様が最終段階に近いほど当り期待度が高くなる保留変化演出を実行する遊技機において、入球口へ入球した遊技球を検知する入球検知手段と、前記入球検知手段が前記入球口のうち特定入球口へ入球した遊技球を検知したことを契機に乱数値を取得し、その取得した乱数値を順次、所定の記憶手段に記憶させる乱数取得手段と、前記図柄変動ゲームの実行条件の成立を契機として、前記記憶手段に記憶されている乱数値と演出判定値とが一致するか否かにより前記ゲーム表示手段に表示させる図柄変動ゲームの変動内容を判定する変動内容判定手段と、前記乱数取得手段が前記乱数値を取得したことを契機として、その取得された乱数値が前記演出判定値と一致する値であるか否かを事前に判定する事前判定手段と、保留情報表示手段を制御し、前記記憶手段に記憶されている乱数値に対応させて前記保留情報を表示させるとともに、前記事前判定手段の判定結果に基づき前記保留変化演出を実行させる保留表示制御手段と、を備え、前記保留表示制御手段は、前記事前判定手段の判定結果に基づき前記保留変化演出を開始させた場合、前記入球検知手段により遊技球が検知されたことを契機として前記保留情報の表示態様を変化させる制御を可能に構成されているとともに、前記保留変化演出を開始させる場合であって、その時点において前記記憶手段に記憶されている乱数値の個数が第１個数のときには、前記保留情報を第１段階の表示態様として前記保留変化演出を開始させる一方で、前記記憶手段に記憶されている乱数値の個数が第１個数より少ない第２個数のときには、前記保留情報を前記第１段階よりも前記最終段階に近い第２段階の表示態様として前記保留変化演出を開始させ易く構成されていることを要旨とする。
【手続補正書】
【提出日】平成25年9月30日(2013.9.30)
【手続補正１】
【補正対象書類名】特許請求の範囲
【補正対象項目名】請求項１
【補正方法】変更
【補正の内容】
【請求項１】
図柄を変動させて行う図柄変動ゲームをゲーム表示手段に表示し、この図柄変動ゲームにおいて当り表示結果が導出されたのちに当り遊技を付与する遊技機において、
入球口へ入球した遊技球を検知する入球検知手段と、
前記入球検知手段が前記入球口のうち特定入球口へ入球した遊技球を検知したことを契機に乱数値を取得し、その取得した乱数値を順次、所定の記憶手段に記憶させる乱数取得手段と、
前記図柄変動ゲームの実行条件の成立を契機として、前記記憶手段に記憶されている乱数値と演出判定値とが一致するか否かにより前記ゲーム表示手段に表示させる図柄変動ゲームの変動内容を判定する変動内容判定手段と、
前記乱数取得手段が前記乱数値を取得したことを契機として、その取得された乱数値が前記演出判定値と一致する値であるか否かを事前に判定する事前判定手段と、
前記事前判定手段の判定結果に基づき演出実行手段を制御し、特別演出を実行させる特別演出制御手段と、を備え、
前記特別演出制御手段は、前記事前判定手段の判定結果が肯定となってから前記事前判定手段が肯定判定した乱数値に基づく図柄変動ゲームが開始される迄の間において、前記入球検知手段により新たに遊技球が検知されたことを契機として前記特別演出を開始させる制御を可能に構成され、
前記演出実行手段は、前記記憶手段に記憶されている乱数値に対応させて保留情報を表示し、保留中の前記図柄変動ゲームの回数を報知する保留情報表示手段であり、
前記特別演出は、前記保留情報表示手段における前記保留情報の表示態様を通常表示態様から特別表示態様へ変化させて行われることを特徴とする遊技機。
【手続補正２】
【補正対象書類名】特許請求の範囲
【補正対象項目名】請求項２
【補正方法】変更
【補正の内容】
【請求項２】
前記事前判定手段により肯定判定された乱数値に対応させて表示された保留情報を報知する特殊演出を実行する特殊演出実行手段をさらに備えたことを特徴とする請求項１に記載の遊技機。
【手続補正３】
【補正対象書類名】明細書
【補正対象項目名】０００８
【補正方法】変更
【補正の内容】
【０００８】
また、請求項１に記載の遊技機において、前記演出実行手段は、前記記憶手段に記憶されている乱数値に対応させて保留情報を表示し、保留中の前記図柄変動ゲームの回数を報知する保留情報表示手段であり、前記特別演出は、前記保留情報表示手段における前記保留情報の表示態様を通常表示態様から特別表示態様へ変化させて行われることを要旨とする。
請求項２に記載の発明は、請求項１に記載の遊技機において、前記事前判定手段により肯定判定された乱数値に対応させて表示された保留情報を報知する特殊演出を実行する特殊演出実行手段をさらに備えたことを要旨とする。
【手続補正４】
【補正対象書類名】明細書
【補正対象項目名】０１４０
【補正方法】変更
【補正の内容】
【０１４０】
次に、上記実施形態及び別例（変形例）から把握できる技術的思想について以下に追記する。
（イ）前記事前判定手段により肯定判定された乱数値に対応させて表示された保留情報を報知する特殊演出を実行する特殊演出実行手段をさらに備えている。
【手続補正５】
【補正対象書類名】明細書
【補正対象項目名】０１４１
【補正方法】変更
【補正の内容】
【０１４１】
（ロ）前記事前判定手段は、前記乱数値が何れの演出判定値と一致するかにより前記図柄変動ゲームの変動内容を事前に判定するようになっており、前記特別演出制御手段は、前記特別表示態様とした保留情報の表示態様を複数段階にわたって変化させ、前記保留情報の表示態様が最終段階に近いほど当り期待度が高くなるように前記特別演出を実行させるとともに、前記事前判定手段が事前判定した変動内容に応じた上限段階を超えないように前記保留情報を変化させる。
【手続補正６】
【補正対象書類名】明細書
【補正対象項目名】０１４２
【補正方法】変更
【補正の内容】
【０１４２】
（ハ）前記特別演出制御手段は、前記図柄変動ゲームの開始を契機として前記保留情報の表示態様を変化させない。
【手続補正７】
【補正対象書類名】明細書
【補正対象項目名】０１４３
【補正方法】変更
【補正の内容】
【０１４３】
（ニ）前記特別演出制御手段は、前記事前判定手段の判定結果が否定となってから前記事前判定手段が否定判定した乱数値に基づく図柄変動ゲームが開始される迄の間において、前記入球検知手段により新たに遊技球が検知されたことを契機として前記特別演出を開始させる制御を可能に構成されている。
【手続補正書】
【提出日】平成25年7月1日(2013.7.1)
【手続補正１】
【補正対象書類名】特許請求の範囲
【補正対象項目名】全文
【補正方法】変更
【補正の内容】
【特許請求の範囲】
【請求項１】
インターネットを介して情報のウエブページにアクセスする方法であって、前記方法は、
インターネット通信リンクを介して対話型コンピュータシステムによってウエブサーバからメディアアセット識別子のウエブページにアクセスすることと、
前記インターネット通信リンクを介して前記対話型コンピュータシステムによって前記ウエブサーバ上の所与のメディアアセット識別子に関連するメディアアセット情報ウエブページにアクセスすることと、
前記インターネット通信リンクを介して前記対話型コンピュータシステムによって前記ウエブサーバ上の前記所与のメディアアセット識別子に関連するビデオクリップにアクセスすることと
を含む、方法。
【請求項２】
ユーザ入力に応答して、メディアアセット識別子のウエブページをサーチしソートすることをさらに含む、請求項１に記載の方法。
【請求項３】
地域のユーザ選択を受信することと、
前記選択された地域に対するメディアアセット識別子のウエブページを表示のために生成することと
をさらに含む、請求項１に記載の方法。
【請求項４】
前記メディアアセット情報ウエブページは、前記所与のメディアアセット識別子に関連付けられたメディアアセットに対する記述的情報を含む、請求項１に記載の方法。
【請求項５】
前記ビデオクリップは、メディアアセットのプレビューである、請求項１に記載の方法。
【請求項６】
インターネットを介して情報のウエブページにアクセスするシステムであって、前記システムは、インターネット通信リンクを介してウエブサーバに結合されている対話型コンピュータシステムを含み、前記対話型コンピュータシステムは、プロセッサを含み、
前記プロセッサは、
前記ウエブサーバからメディアアセット識別子のウエブページにアクセスすることと、
前記ウエブサーバ上の所与のメディアアセット識別子に関連するメディアアセット情報ウエブページにアクセスすることと、
前記ウエブサーバ上の前記所与のメディアアセット識別子に関連するビデオクリップにアクセスすることと
を行うように構成されている、システム。
【請求項７】
前記プロセッサは、ユーザ入力に応答して、メディアアセット識別子のウエブページをサーチしソートするようにさらに構成されている、請求項６に記載のシステム。
【請求項８】
前記プロセッサは、
地域のユーザ選択を受信することと、
前記選択された地域に対するメディアアセット識別子のウエブページを表示のために生成することと
を行うようにさらに構成されている、請求項６に記載のシステム。
【請求項９】
前記メディアアセット情報ウエブページは、前記所与のメディアアセット識別子に関連付けられたメディアアセットに対する記述的情報を含む、請求項６に記載のシステム。
【請求項１０】
前記ビデオクリップは、メディアアセットのプレビューである、請求項６に記載のシステム。
【請求項１１】
前記メディアアセットは、オンデマンドのメディアアセットである、請求項１に記載の方法。
【請求項１２】
前記メディアアセットは、オンデマンドのメディアアセットである、請求項６に記載のシステム。
【請求項１３】
メディアアセット識別子のユーザ選択を受信することと、
前記メディアアセット識別子の前記ユーザ選択を受信したことに応答して、選択可能なオプションを含むウエブページにアクセスすることであって、前記選択可能なオプションのユーザ選択は、前記選択されたメディアアセット識別子に関連付けられたメディアアセット上で起動されるべき機能を生じさせる、ことと
をさらに含む、請求項１に記載の方法。
【請求項１４】
前記プロセッサは、
メディアアセット識別子のユーザ選択を受信することと、
前記メディアアセット識別子の前記ユーザ選択を受信したことに応答して、選択可能なオプションを含むウエブページにアクセスすることであって、前記選択可能なオプションのユーザ選択は、前記選択されたメディアアセット識別子に関連付けられたメディアアセット上で起動されるべき機能を生じさせる、ことと
を行うようにさらに構成されている、請求項６に記載のシステム。
【請求項１５】
前記ビデオクリップに文脈上で関連する情報をサーチするための選択可能なオプションを含むウエブページにアクセスすることをさらに含む、請求項１に記載の方法。
【請求項１６】
前記プロセッサは、前記ビデオクリップに文脈上で関連する情報をサーチするための選択可能なオプションを含むウエブページにアクセスするようにさらに構成されている、請求項６に記載のシステム。
【手続補正書】
【提出日】平成25年5月8日(2013.5.8)
【手続補正１】
【補正対象書類名】特許請求の範囲
【補正対象項目名】全文
【補正方法】変更
【補正の内容】
【特許請求の範囲】
【請求項１】
インタラクティブメディアガイダンスアプリケーションを用いて、メディアアセットを格納するための方法であって、前記方法は、
格納のために、第１のメディアアセットの選択を受信することと、
格納のために、第２のメディアアセットの選択を受信することであって、前記第２のメディアアセットは、前記第１のメディアアセットと一時的に競合する、ことと、
複数の格納デバイスから、前記第１のメディアアセットを格納するための第１の格納デバイスと前記第２のメディアアセットを格納するための第２の格納デバイスとを自動的に選択することと、
前記第１のメディアアセットを格納するために、第１の指示をコンピュータネットワークを介して前記第１の格納デバイスに送信することと、
前記第２のメディアアセットを格納するために、第２の指示を前記コンピュータネットワークを介して前記第２の格納デバイスに送信することと
を含む、方法。
【請求項２】
前記第１のメディアアセットの開始時に前記第１の格納デバイスをオンにすることと、前記第２のメディアアセットの開始時に前記第２の格納デバイスをオンにすることとをさらに含む、請求項１に記載の方法。
【請求項３】
前記第１のメディアアセットの終了時に前記第１の格納デバイスをオフにすることと、前記第２のメディアアセットの終了時に前記第２の格納デバイスをオフにすることとをさらに含む、請求項１に記載の方法。
【請求項４】
前記複数の格納デバイスは、
少なくとも１つのビデオカセットレコーダ、
少なくとも１つのデジタル格納デバイス、
少なくとも１つのビデオカセットレコーダおよび少なくとも１つのデジタル格納デバイス
を含むグループから選択される、請求項１に記載の方法。
【請求項５】
前記第１の格納デバイスは、ビデオカセットレコーダおよびデジタル格納デバイスのうちの一方であり、前記第２の格納デバイスは、ビデオカセットレコーダおよびデジタル格納デバイスのうちの一方である、請求項１に記載の方法。
【請求項６】
前記第１のメディアアセットは、前記インタラクティブメディアガイダンスアプリケーションを用いてユーザによって格納のために選択され、前記第２のメディアアセットは、前記インタラクティブメディアガイダンスアプリケーションを用いてユーザによって格納のために選択される、請求項１に記載の方法。
【請求項７】
インタラクティブメディアガイダンスアプリケーションを用いて、メディアアセットを格納するためのシステムであって、前記システムは、
格納のために、第１のメディアアセットの選択を受信するための手段と、
格納のために、第２のメディアアセットの選択を受信するための手段であって、前記第２のメディアアセットは、前記第１のメディアアセットと一時的に競合する、手段と、
複数の格納デバイスから、前記第１のメディアアセットを格納するための第１の格納デバイスと前記第２のメディアアセットを格納するための第２の格納デバイスとを自動的に選択するための手段と、
前記第１のメディアアセットを格納するために、第１の指示をコンピュータネットワークを介して前記第１の格納デバイスに送信するための手段と、
前記第２のメディアアセットを格納するために、第２の指示を前記コンピュータネットワークを介して前記第２の格納デバイスに送信するための手段と
を含む、システム。
【請求項８】
前記第１のメディアアセットの開始時に前記第１の格納デバイスをオンにし、かつ、前記第２のメディアアセットの開始時に前記第２の格納デバイスをオンにするための手段をさらに含む、請求項７に記載のシステム。
【請求項９】
前記第１のメディアアセットの終了時に前記第１の格納デバイスをオフにし、かつ、前記第２のメディアアセットの終了時に前記第２の格納デバイスをオフにするための手段をさらに含む、請求項７に記載のシステム。
【請求項１０】
前記複数の格納デバイスは、
少なくとも１つのビデオカセットレコーダ、
少なくとも１つのデジタル格納デバイス、
少なくとも１つのビデオカセットレコーダおよび少なくとも１つのデジタル格納デバイス
を含むグループから選択される、請求項７に記載のシステム。
【請求項１１】
前記第１の格納デバイスは、ビデオカセットレコーダおよびデジタル格納デバイスのうちの一方であり、前記第２の格納デバイスは、ビデオカセットレコーダおよびデジタル格納デバイスのうちの一方である、請求項７に記載のシステム。
【請求項１２】
前記第１のメディアアセットは、前記インタラクティブメディアガイダンスアプリケーションを用いてユーザによって格納のために選択され、前記第２のメディアアセットは、前記インタラクティブメディアガイダンスアプリケーションを用いてユーザによって格納のために選択される、請求項７に記載のシステム。
【手続補正書】
【提出日】平成25年3月14日(2013.3.14)
【手続補正１】
【補正対象書類名】明細書
【補正対象項目名】００１７
【補正方法】変更
【補正の内容】
【００１７】
（１）上記の目的を達成するため、本発明は、次のような手段を講じた。すなわち、本発明の基地局装置は、基地局装置が、上りリンクデータの送信に使用される時間および周波数から成る上りリンクデータチャネル（ＰＵＳＣＨ）のリソースを、物理下りリンク制御チャネル（ＰＤＣＣＨ）を使用して移動局装置へ割り当てる基地局装置であって、前記物理下りリンク制御チャネル（ＰＤＣＣＨ）を使用して、受信品質情報の送信を指示する情報を前記移動局装置へ送信する手段と、前記情報を前記移動局装置へ送信した場合に、前記受信品質情報を前記上りリンクデータと共に前記上りリンクデータチャネル（ＰＵＳＣＨ）を使用して前記移動局装置から受信する手段と、を備え、前記受信品質情報に対するリソース量は、前記物理下りリンク制御チャネル（ＰＤＣＣＨ）を使用して前記移動局装置へ割り当てた前記上りリンクデータチャネル（ＰＵＳＣＨ）のリソースの大きさに応じて決定されることを特徴とする。
【手続補正２】
【補正対象書類名】明細書
【補正対象項目名】００１８
【補正方法】変更
【補正の内容】
【００１８】
（２）また、本発明の通信方法は、基地局装置が、上りリンクデータの送信に使用される時間および周波数から成る上りリンクデータチャネル（ＰＵＳＣＨ）のリソースを、物理下りリンク制御チャネル（ＰＤＣＣＨ）を使用して移動局装置へ割り当てる基地局装置の通信方法であって、前記物理下りリンク制御チャネル（ＰＤＣＣＨ）を使用して、受信品質情報の送信を指示する情報を前記移動局装置へ送信し、前記情報を前記移動局装置へ送信した場合に、前記受信品質情報を前記上りリンクデータと共に前記上りリンクデータチャネル（ＰＵＳＣＨ）を使用して前記移動局装置から受信し、前記受信品質情報に対するリソース量は、前記物理下りリンク制御チャネル（ＰＤＣＣＨ）を使用して前記移動局装置へ割り当てた前記上りリンクデータチャネル（ＰＵＳＣＨ）のリソースの大きさに応じて決定されることを特徴とする。
【手続補正３】
【補正対象書類名】明細書
【補正対象項目名】００１９
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
基地局装置が、上りリンクデータの送信に使用される時間および周波数から成る上りリンクデータチャネル（ＰＵＳＣＨ）のリソースを、物理下りリンク制御チャネル（ＰＤＣＣＨ）を使用して移動局装置へ割り当てる基地局装置であって、
前記物理下りリンク制御チャネル（ＰＤＣＣＨ）を使用して、受信品質情報の送信を指示する情報を前記移動局装置へ送信する手段と、
前記情報を前記移動局装置へ送信した場合に、前記受信品質情報を前記上りリンクデータと共に前記上りリンクデータチャネル（ＰＵＳＣＨ）を使用して前記移動局装置から受信する手段と、を備え、
前記受信品質情報に対するリソース量は、前記物理下りリンク制御チャネル（ＰＤＣＣＨ）を使用して前記移動局装置へ割り当てた前記上りリンクデータチャネル（ＰＵＳＣＨ）のリソースの大きさに応じて決定されることを特徴とする基地局装置。
【請求項２】
基地局装置が、上りリンクデータの送信に使用される時間および周波数から成る上りリンクデータチャネル（ＰＵＳＣＨ）のリソースを、物理下りリンク制御チャネル（ＰＤＣＣＨ）を使用して移動局装置へ割り当てる基地局装置の通信方法であって、
前記物理下りリンク制御チャネル（ＰＤＣＣＨ）を使用して、受信品質情報の送信を指示する情報を前記移動局装置へ送信し、
前記情報を前記移動局装置へ送信した場合に、前記受信品質情報を前記上りリンクデータと共に前記上りリンクデータチャネル（ＰＵＳＣＨ）を使用して前記移動局装置から受信し、
前記受信品質情報に対するリソース量は、前記物理下りリンク制御チャネル（ＰＤＣＣＨ）を使用して前記移動局装置へ割り当てた前記上りリンクデータチャネル（ＰＵＳＣＨ）のリソースの大きさに応じて決定されることを特徴とする通信方法。
【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
画像データを取得する取得ステップと、
前記画像データの彩度情報が所定の条件を満たすか否かによって画像データの被写体が鮮やかな被写体であるか否かを判定する判定ステップと、
前記判定ステップにより前記画像データの被写体が鮮やかな被写体であると判定された場合、前記画像データの明るさが第１の明るさであるときには、前記画像データの明るさが前記第１の明るさよりも弱い第２の明るさであるときに比べて大きい補正幅で前記画像データの鮮やかさを補正する補正ステップと、を有することを特徴とする画像処理方法。
【請求項２】
前記判定ステップは、画像全体の彩度を表す第１の評価値を生成するステップを含み、前記第１の評価値が第３の閾値以上と判定されたときに、前記所定の条件を満たすと判定することを特徴とする請求項１に記載の画像処理方法。
【請求項３】
前記判定ステップは、前記画像データの画像全体を複数のブロックに分割し、前記複数のブロックから第４の閾値以上の彩度を持つブロックの数を表す第２の評価値を生成するステップを含み、前記第２の評価値が第５の閾値以上である場合に、前記所定の条件を満たすと判定することを特徴とする請求項１または２に記載の画像処理方法。
【請求項４】
前記画像データの明るさは、前記画像データの撮像制御値と、前記画像データの輝度情報から算出され、前記撮像制御値は、絞り径情報、シャッター速度情報、および前記画像データのゲイン情報を含み、前記補正ステップは、前記画像データの明るさを第１および第２の閾値と比較して前記画像データの明るさを判定し、前記画像データの明るさが前記第１の閾値と第２の閾値との間にあると判定されたときは、前記画像データの明るさに従って所定の範囲内で変化する彩度補正値を前記補正幅として生成し、前記画像データの明るさが前記第１の閾値と第２の閾値との間の領域以外の領域にあると判定されたときは、前記画像データの明るさにかかわらず前記所定の範囲の最大値または最小値となるように補正値を決定することを特徴とする請求項１乃至３のいずれか一項に記載の画像処理方法。
【請求項５】
前記判定ステップによる判定と前記補正ステップによる補正幅の決定との間に起こるハンチングを、前記判定ステップで用いられる比較判定の閾値を制御して防止するハンチング防止ステップをさらに備えることを特徴とする請求項１乃至４のいずれか一項に記載の画像処理方法。
【請求項６】
前記ハンチング防止ステップは、前記第４の閾値を、前記補正ステップで決定された彩度補正幅および所定のハンチング防止係数に基づいて補正するステップを含むことを特徴とする請求項５に記載の画像処理方法。
【請求項７】
前記補正ステップは、前記画像データの画像全体を複数のブロックに分割し、前記複数のブロックから第６の閾値以下の輝度を持つブロックの数を表す第３の評価値を生成するステップを含み、前記第３の評価値と第７の閾値との比較判定を行い、当該比較判定の結果に基づいて前記決定された彩度補正値を変更することを特徴とする請求項６に記載の画像処理方法。
【請求項８】
画像データを取得する取得手段と、
前記画像データの彩度情報が所定の条件を満たすか否かによって画像データの被写体が鮮やかな被写体であるか否かを判定する判定手段と、
前記判定手段により前記画像データの被写体が鮮やかな被写体であると判定された場合、前記画像データの明るさが第１の明るさであるときには、前記画像データの明るさが前記第１の明るさよりも弱い第２の明るさであるときに比べて大きい補正幅で前記画像データの鮮やかさを補正する補正手段と、を備えることを特徴とする画像処理装置。
【請求項９】
被写体を撮像し、画像データを出力する撮像手段と、
前記画像データの彩度情報が所定の条件を満たすか否かによって画像データの被写体が鮮やかな被写体であるか否かを判定する判定手段と、
前記判定手段により前記画像データの被写体が鮮やかな被写体であると判定された場合、前記画像データの明るさが第１の明るさであるときには、前記画像データの明るさが前記第１の明るさよりも弱い第２の明るさであるときに比べて大きい補正幅で前記画像データの鮮やかさを補正する補正手段と、を有することを特徴とする撮像装置。
【請求項１０】
コンピュータを、
画像データを取得する取得手段と、
前記画像データの彩度情報が所定の条件を満たすか否かによって画像データの被写体が鮮やかな被写体であるか否かを判定する判定手段と、
前記判定手段により前記画像データの被写体が鮮やかな被写体であると判定された場合、前記画像データの明るさが第１の明るさであるときには、前記画像データの明るさが前記第１の明るさよりも弱い第２の明るさであるときに比べて大きい補正幅で前記画像データの鮮やかさを補正する補正手段とを備えた画像処理装置として機能させるためのプログラム。
【請求項１１】
請求項１０に記載のプログラムを記録したコンピュータが読み取り可能な記録媒体。
【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
一組のブロードキャスト情報を受信する方法であって、
少なくとも１つの帯域幅自由度でビーコンシンボルを受信することと、ここにおいて、前記帯域幅自由度は、ＯＦＤＭ送信シンボルにおけるトーンを備え、前記ビーコンシンボルは、他の帯域幅自由度よりも高い電力で、少なくとも１つの選択された帯域幅自由度で受信される、
いずれの帯域幅自由度が部分組に含まれる複数の帯域幅自由度から選択されたかを決定することと、
前記一組のブロードキャスト情報の少なくとも一部分を決定するために、いずれの部分組が少なくとも２つの部分組の帯域幅自由度から選択されたかを確認することと、
を具備する、方法。
【請求項２】
前記ビーコンシンボルは、他の信号と実質的に同時に受信される、請求項１に記載の方法。
【請求項３】
いずれの帯域幅自由度が選択されたかを決定することは、いずれの部分組が選択されたかを確認することとは独立して実行される、請求項１に記載の方法。
【請求項４】
前記少なくとも２つの部分組のうちのいずれかにおける前記帯域幅自由度は隣接する、請求項３に記載の方法。
【請求項５】
前記少なくとも２つの部分組は、互いに素である、請求項３に記載の方法。
【請求項６】
前記一組のブロードキャスト情報のうち少なくとも２つの部分組は、前記一組のブロードキャスト情報の素の部分組である、請求項１に記載の方法。
【請求項７】
前記一組のブロードキャスト情報の少なくとも２つの部分組のうちの少なくとも１つの部分組は、第１の無線デバイスが第２の無線デバイスと直接通信するピア・ツー・ピア通信のための基地局から受信されるべき制御情報を含む、請求項１に記載の方法。
【請求項８】
前記制御情報は、周波数帯域所在場所情報、前記周波数帯域においてピア・ツー・ピア通信が許容されるか、ピア・ツー・ピア通信に関して前記第１の無線デバイスによって用いられる最大送信電力を制御する制御パラメータ、のうちの少なくとも１つ、又はその組合せを含む請求項７に記載の方法。
【請求項９】
一組のブロードキャスト情報を含むビーコン信号において受信された情報を選択的に復号する無線通信装置であって、前記装置は、
選択された１つ以上の帯域幅自由度をビーコン信号において受信すること；いずれの帯域幅自由度が部分組から受信されたかを決定すること、ここにおいて、自由度は、ＯＦＤＭ送信シンボルにおけるトーンを備える；２つ以上の部分組からいずれの部分組が選択されたかを決定すること；前記２つ以上の部分組から一組の帯域幅自由度を再構築すること；および前記ビーコン信号が、他の受信されたビーコン信号の平均送信電力よりも高い各々の選択された帯域幅自由度における電力で受信されるとして識別すること；に関連する命令を保持するメモリと、
前記メモリに結合され、前記メモリ内に保持される前記命令を実行するように構成されたプロセッサと、
を具備する装置。